(57)【要約】      （修正有）【課題】駐車場に車両を駐車する際に必要とする完全な情報が得られる空き駐車スペース位置表示装置を提供する。【解決手段】それぞれの駐車スペースに設けられ、車両の有無を感知して信号を感知器ユニットに送信し、信号処理に供する駐車スペース感知器１と、それぞれの駐車スペースに設けられ、通信経路を介してメイン制御手段５に感知信号を送信して、メイン制御手段による演算に供する感知器ユニット２と、ランプ構造を具え、感知器ユニットの制御を受けてオンかオフの状態となり、ランプを点灯、もしくは消灯させる駐車スペース利用状態表示装置３と、それぞれの感知器ユニットと該メイン制御手段とを電気的に接続する通信経路４と、それぞれの感知器ユニットから受信した感知信号を演算して得た結果をモニター６に表示するメイン制御手段と、モニターとによって構成する。【選択図】図４
0003157274.tif 000002
【実用新案登録請求の範囲】
【請求項１】
駐車スペース感知器と、感知器ユニットと、駐車スペース利用状態表示装置と、通信経路と、メイン制御手段と、駐車場の正面に設置するモニターを含み構成される空き駐車スペース位置表示装置であって、
該駐車スペース感知器は該感知器ユニットと電気的に接続し、かつそれぞれの駐車スペースＡの感知有効範囲内に設けられて、それぞれの駐車スペースに車両が進入して停車し、駐車スペースを占めているか否かを感知するとともに、感知信号を生成して該感知器ユニットに送信して信号処理に供し、
該感知器ユニットはそれぞれの駐車スペースに設けられ、該該駐車スペース感知器１と電気的に接続して、該通信経路を介して該メイン制御手段に感知信号を送信して、メイン制御手段５による演算に供し、
該駐車スペース利用状態表示装置は、ランプ構造を具え、該感知器ユニットに電気的に接続し、かつ該感知器ユニットの制御を受けてオンかオフの状態となり、ランプを点灯、もしくは消灯させて駐車スペースの利用状況を表し、
該通信経路はそれぞれの該感知器ユニットと該メイン制御手段とを電気的に接続し、
該メイン制御手段は該モニターと電気的に接続し、該通信回路を介して送信されたそれぞれの該感知器ユニットからの感知信号を演算して得た結果を該モニターに表示し、
該モニターは該メイン制御手段と電気的に接続し、かつ表示画面を少なくとも駐車場形状表示領域と空き駐車スペース位置表示領域とに分割することを特徴とする空き駐車スペース位置表示装置。
【請求項２】
前記空き駐車スペース位置表示領域において、異なる色彩、もしくは発光ポイントで空き駐車スペース位置を表示することを特徴とする請求項１に記載の空き駐車スペース位置表示装置。
【請求項３】
前記モニターの画面が、さらに駐車スペース総数表示領域と、空き駐車スペース数表示領域とに分割されることを特徴とする請求項１に記載の空き駐車スペース位置表示装置。
【請求項４】
前記モニターの画面が駐車場の異なる階の駐車に係る情報を表示する領域に分割されることを特徴とする請求項１に記載の空き駐車スペース位置表示装置。
【考案の詳細な説明】
【技術分野】
【０００１】
この考案は駐車場施設に関し、特に平面、もしくは立体駐車場において、空いている駐車スペースの位置を含む関連情報をモニターなどの表示装置で提供する装置に関する。
【背景技術】
【０００２】
主に駐車場の位置口に設けられる従来の電子式駐車場情報表示装置は、センサーとカウンターを具え、駐車場に進入する車両数を算出して、駐車スペース総数と未使用の駐車スペース数とを表示する。
【０００３】
上述する従来の電子式駐車場情報表示装置は、駐車場に残り何台駐車できるか表示することによって、初歩的な駐車できるか否かという情報は提供することができる。但し、空いている駐車スペースがどこにあるかは表示されない。仮に、駐車場に入場した時点で駐車料金が計算されるのであれば、駐車スペースを探すために時間と金銭を浪費することになる。よって、従来の表示装置は、真に必要とされる駐車スペースの情報が反映されない。
【考案の概要】
【考案が解決しようとする課題】
【０００４】
この考案は、駐車場の情況、駐車スペースの総数と空いている駐車スペースの数、空いている駐車スペースの位置などを表示することによって、駐車場に車両を駐車する際に必要とする完全な情報が得られる空き駐車スペース位置表示装置を提供することを課題とする。
【課題を解決するための手段】
【０００５】
そこで、本考案者は、それぞれの駐車スペースに設けられ、車両の有無を感知して信号を感知器ユニットに送信し、信号処理に供する駐車スペース感知器と、それぞれの駐車スペースに設けられ、通信経路を介して該メイン制御手段に感知信号を送信して、メイン制御手段による演算に供する感知器ユニットと、ランプ構造を具え、感知器ユニットの制御を受けてオンかオフの状態となり、ランプを点灯、もしくは消灯させる駐車スペース利用状態表示装置と、それぞれの感知器ユニットとメイン制御手段とを電気的に接続する通信経路と、それぞれの感知器ユニットから受信した感知信号を演算して得た結果をモニターに表示するメイン制御手段と、及びモニターとによって構成する空き駐車スペース位置表示装置によって課題を解決できる点に着眼し、かかる知見に基づいて本考案を完成させた。
【０００６】
以下、この考案について詳述する。
請求項１に記載する空き駐車スペース位置表示装置は、駐車スペース感知器と、感知器ユニットと、駐車スペース利用状態表示装置と、通信経路と、メイン制御手段と、駐車場の正面に設置するモニターを含み構成される空き駐車スペース位置表示装置であって、
該駐車スペース感知器は該感知器ユニットと電気的に接続し、かつそれぞれの駐車スペースの感知有効範囲内に設けられて、それぞれの駐車スペースに車両が進入して停車し、駐車スペースＡを占めているか否かを感知するとともに、感知信号を生成して該感知器ユニットに送信して信号処理に供し、
該感知器ユニットはそれぞれの駐車スペースに設けられ、該該駐車スペース感知器１と電気的に接続して、該通信経路を介して該メイン制御手段に感知信号を送信して、メイン制御手段５による演算に供し、
該駐車スペース利用状態表示装置は、ランプ構造を具え、該感知器ユニットに電気的に接続し、かつ該感知器ユニットの制御を受けてオンかオフの状態となり、ランプを点灯、もしくは消灯させて駐車スペースの利用状況を表し、
該通信経路はそれぞれの該感知器ユニットと該メイン制御手段とを電気的に接続し、
該メイン制御手段は該モニターと電気的に接続し、該通信回路を介して送信されたそれぞれの該感知器ユニットからの感知信号を演算して得た結果を該モニターに表示し、
該モニターは該メイン制御手段と電気的に接続し、かつ表示画面を少なくとも駐車場形状表示領域と空き駐車スペース位置表示領域とに分割する。
【０００７】
請求項２に記載する空き駐車スペース位置表示装置は、請求項１における空き駐車スペース位置表示領域において、異なる色彩、もしくは発光ポイントで空き駐車スペース位置を表示する。
【０００８】
係る表示方式によって、利用者がはっきりと、かつ確実に空き駐車スペースの位置を確認することができる。
【０００９】
請求項３に記載する空き駐車スペース位置表示装置は、請求項１におけるモニターの画面が、さらに駐車スペース総数表示領域と、空き駐車スペース数表示領域とに分割される。
【００１０】
係り表示方式によって、駐車場のより完全な駐車情報が得られる。
【００１１】
請求項４に記載する空き駐車スペース位置表示装置は、請求項１におけるモニターの画面が駐車場の異なる階の駐車に係る情報を表示する領域に分割される。
【００１２】
係る表示方式によって、一台のモニターで複数楷の駐車情報を表示することが可能になる。
【考案の効果】
【００１３】
この考案によれば、駐車場に駐車する場合、該駐車場に空いている駐車スペースがあって利用可能か否か、空いている駐車スペースの位置がどこなのか、などの駐車場の情報を提供することができるため、駐車場の利用者は時間と、燃料を節約することができ、駐車する際の利便性が得られるという利点を有する。
【図面の簡単な説明】
【００１４】
【図１】この考案による装置を設けた駐車場の例を示した説明図である。
【図２】この考案におけるモニターの表示態様を示した説明図である。
【図３】この考案におけるモニターの他の表示態様を示した説明図である。
【図４】この考案による装置の構成を示した説明図である。
【考案を実施するための形態】
【００１５】
図１は、駐車スペースＡが十箇所設けられた平面駐車場を例として、本考案装置による表示装置の使用態様を開示した説明図であって、駐車場の形状、それぞれの駐車スペースＡ、ゲートＢ、管理室Ｃ、駐車場の正面側に設けたモニター６などが図面に表示されている。
【００１６】
駐車場の正面に設置した表示装置６において、駐車場全体の形状、それぞれの駐車スペースＡの位置などを同等の比例で縮小表示する。即ち、駐車場の形状、空いている駐車スペースの位置、駐車スペース総数、空いている駐車スペースの数などの情報をモニター６に表示して、駐車場の利用者が、必要とする駐車スペースＡを迅速かつ的確に探し出せるようにする。
【００１７】
図４に開示するように、この考案による装置は、駐車スペース感知器１と、感知器ユニット２と、駐車スペース利用状態表示装置３と、通信経路４と、メイン制御手段５と、駐車場の正面に設置するモニター６などを含み構成される。
【００１８】
駐車スペース感知器１は、感知器ユニット２と電気的に接続し、かつそれぞれの駐車スペースＡの感知有効範囲内に設けられて、それぞれの駐車スペースに車両が進入して停車し、駐車スペースＡを占めているか否かを感知する。感知した信号は感知器ユニット２で処理され、通信経路４を介してメイン制御手段５に送信され、演算に供する。
【００１９】
感知器ユニット２は信号処理手段であって、それぞれの駐車スペースＡに設ける。駐車スペース感知器１が感知した信号を受信し、駐車スペース利用状態表示装置３を制御してオン、オフいずれかの状態にする。また、受信した信号を処理し、通信経路４を介してメイン制御手段５に送信して、メイン制御手段５による演算に供する。
【００２０】
駐車スペース利用状態表示装置３は、それぞれの駐車スペースＡの外部からにはっきり視認できる範囲に設けられ、かつ発光体を有するランプ構造を具えて、駐車場の利用者である運転者に、駐車スペースＡが空いているか、すでに使用されているか、利用状態を知らせる。
【００２１】
駐車スペース利用状態表示装置３は、駐車スペース感知器１から感知信号を受信した感知器ユニット２によって制御を受けてオンか、オフの状態になる。オフの状態においてランプが点灯せず、該駐車スペースＡに車両が駐車されていることを表し、オンの状態においてランプが点灯して該駐車スペースＡに車両が駐車されていなく、空いた状態であることを表す。よって、車両を駐車しようとする運転者は、駐車スペースに近づいて空いているか確認することなく、駐車スペースＡの利用状態を確認することができ、また、空いている駐車スペースの方向、距離などを確認することができる。
【００２２】
また、それぞれの駐車スペースＡに設けた感知器ユニット２は、通信経路４を介して電気的に接続し、駐車場内のそれぞれの駐車スペースＡの利用状況に係る情報がメイン制この考案におけるモニターの表示態様を示した説明図である。
る。
【００２３】
図２に開示するモニター６は、駐車場の正面側に設けるとともに、メイン制御手段５と電気的に接続する。モニター６の画面は、駐車場形状表示領域６１と、空き駐車スペース表示領域６１１と、駐車スペース総数表示領域６２と、空き駐車スペース数表示領域６３とに分割して、駐車場の形状に係る情報、空き駐車スペースの位置に係る情報、駐車スペース総数と空いている駐車スペースの数に係る情報などを表示する。特に、空いている駐車スペースに係る情報は、モニター６の画面において異なる色彩、もしくは発光ポイントＤで表現し、利用者が迅速かつはっきりと位置を確認できるようにする。
【００２４】
図３に開示するように、モニター６の画面は、異なる階（例えば地下一階、二階）の情報を同時に表示できるように分割し、それぞれの表示領域に、駐車場形状表示領域６１と、空き駐車スペース表示領域６１１と、駐車スペース総数表示領域６２と、空き駐車スペース数表示領域６３を設けて、単一のモニター６で異なる階の駐車情報を開示するようにしてもよい。
【符号の説明】
【００２５】
Ａ        駐車スペース
Ｂ        ゲート
Ｃ        管理室
Ｄ        発光ポイント
１        駐車スペース感知器
２        感知器ユニット
３        駐車スペース利用状態表示装置
４        通信経路
５        メイン制御手段
６        モニター
６１      駐車場形状表示領域
６１１    空き注射スペース表示領域
６２      駐車スペース総数表示領域
６３      空き駐車スペース数表示領域
【図１】
0003157274.tif 000003
【図２】
0003157274.tif 000004
【図３】
0003157274.tif 000005
【図４】
0003157274.tif 000006